(57)【要約】【課題】発光素子で発生する熱の器具本体への放熱効率を高めた照明器具を提供する。【解決手段】器具本体１は、天井材１００と反対側に光源ユニット２の少なくとも一部を収容するための凹部１１を有する。光源ユニット２は、複数のＬＥＤ２２２が実装された基板２２と、複数のＬＥＤ２２２が器具本体１と反対側を向くようにして基板２２を器具本体１に取り付けるための取付部材２１とを具備する。取付部材２１は、基板２２を支持する底面部２１１と、底面部２１１の幅方向における両端から底面部２１１と交差する方向に延出する第１側面部２１２及び第２側面部２１３とで形成される。そして、光源ユニット２を器具本体１に取り付けた状態では、第１側面部２１２の接触部２１２ｂが凹部１１の一方の側面部１１２に面接触し、第２側面部２１３の接触部２１３ｂが凹部１１の他方の側面部１１２に面接触する。【選択図】図１
2014179209.tif 000002
【特許請求の範囲】
【請求項１】
造営材に取り付けられる器具本体と、前記器具本体に対して着脱自在に取り付けられる光源ユニットとを備え、
前記器具本体は、前記造営材と反対側に前記光源ユニットの少なくとも一部を収容するための凹部を有し、
前記光源ユニットは、複数の発光素子が実装された基板と、前記複数の発光素子が前記器具本体と反対側を向くようにして前記基板を前記器具本体に取り付けるための取付部材とを具備し、
前記取付部材は、前記基板を支持する底面部と、前記底面部の幅方向における両端から前記底面部と交差する方向に延出する第１側面部及び第２側面部とで形成され、
前記第１側面部又は前記第２側面部の少なくとも一方は、前記光源ユニットを前記器具本体に取り付けた状態において前記凹部の内側面に面接触する接触部を有することを特徴とする照明器具。
【請求項２】
前記光源ユニットは、幅方向において前記第１側面部側を回動中心として前記第２側面部側を回動させることで前記器具本体に取り付けられ、
前記第１側面部は、前記接触部を有し、
前記第２側面部は、前記器具本体に対して前記光源ユニットを着脱する際に前記凹部の内側面との間に隙間を空けた状態で回動することを特徴とする請求項１記載の照明器具。
【請求項３】
前記光源ユニットは、幅方向において前記第１側面部側を回動中心として前記第２側面部側を回動させることで前記器具本体に取り付けられ、
前記第１側面部及び前記第２側面部は、前記接触部をそれぞれ有し、
前記第２側面部の前記接触部は、幅方向において前記第１側面部と反対側に円弧状に突出する弾性体からなることを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、吊ボルトなどを用いて天井に直付けされる器具本体と、器具本体に対して着脱自在に取り付けられるＬＥＤユニットと、ＬＥＤユニットを器具本体に取り付けるためのホルダとを備える。
【０００３】
器具本体は、長尺且つ矩形箱状に形成され、下面側にはＬＥＤユニットを収容するための凹部が全長に亘って設けられている。ホルダは、長尺且つ矩形板状に形成された支持部と、支持部の幅方向における両端から支持部と交差する方向に延出する一対の可撓部とでＵ字状に形成され、各可撓部の先端には係止片が一体に設けられている。
【０００４】
ＬＥＤユニットは、側面視の形状がＵ字状に形成された長尺状のブラケットと、複数のＬＥＤが長手方向に沿って実装されブラケットの下面に取り付けられる基板と、複数のＬＥＤを覆うようにしてブラケットに取り付けられるカバーとを具備する。ブラケットの幅方向における両側面には、各係止片がそれぞれ係合する一対の係止溝が設けられている。
【０００５】
そして、一体に組み付けたＬＥＤユニットをブラケット側から器具本体の凹部内へ収容していき、ホルダの各係止片をブラケットの対応する係止溝にそれぞれ係合させることで、ＬＥＤユニットが器具本体に取り付けられる。
【先行技術文献】
【特許文献】
【０００６】
【特許文献１】特開２０１１−１４２０６３号公報
【発明の概要】
【発明が解決しようとする課題】
【０００７】
上述の特許文献１に示した照明器具では、器具本体、ホルダ及びブラケットが金属製であり、ＬＥＤユニットを器具本体に取り付けた状態では、器具本体とブラケットとがホルダを介して熱的に結合する。そのため、ＬＥＤで発生した熱をブラケット及びホルダを介して器具本体に放熱することができる。しかしながら、ブラケットとホルダが接触しているのは係止片と係止溝の係合部分のみであり、そのため器具本体への放熱効率がよくなかった。
【０００８】
本発明は上記問題点に鑑みて為されたものであり、その目的とするところは、発光素子で発生する熱の器具本体への放熱効率を高めた照明器具を提供することにある。
【課題を解決するための手段】
【０００９】
本発明の照明器具は、造営材に取り付けられる器具本体と、器具本体に対して着脱自在に取り付けられる光源ユニットとを備え、器具本体は、造営材と反対側に光源ユニットの少なくとも一部を収容するための凹部を有し、光源ユニットは、複数の発光素子が実装された基板と、複数の発光素子が器具本体と反対側を向くようにして基板を器具本体に取り付けるための取付部材とを具備し、取付部材は、基板を支持する底面部と、底面部の幅方向における両端から底面部と交差する方向に延出する第１側面部及び第２側面部とで形成され、第１側面部又は第２側面部の少なくとも一方は、光源ユニットを器具本体に取り付けた状態において凹部の内側面に面接触する接触部を有することを特徴とする。
【００１０】
この照明器具において、光源ユニットは、幅方向において第１側面部側を回動中心として第２側面部側を回動させることで器具本体に取り付けられ、第１側面部は、接触部を有し、第２側面部は、器具本体に対して光源ユニットを着脱する際に凹部の内側面との間に隙間を空けた状態で回動するのが好ましい。
【００１１】
また、この照明器具において、光源ユニットは、幅方向において第１側面部側を回動中心として第２側面部側を回動させることで器具本体に取り付けられ、第１側面部及び第２側面部は、接触部をそれぞれ有し、第２側面部の接触部は、幅方向において第１側面部と反対側に円弧状に突出する弾性体からなるのも好ましい。
【発明の効果】
【００１２】
本発明の構成によれば、光源ユニットを器具本体に取り付けた状態では接触部が器具本体に面接触しており、取付部材と器具本体の接触面積を大きくすることができるので、発光素子で発生する熱の器具本体への放熱効率を高めることができるという効果がある。
【図面の簡単な説明】
【００１３】
【図１】実施形態１の照明器具の断面図である。
【図２】同上の分解斜視図である。
【図３】同上の外観斜視図である。
【図４】同上に用いられる光源ユニットを模式的に表した斜視図である。
【図５】実施形態２の照明器具の断面図である。
【図６】同上に用いられる光源ユニットを模式的に表した斜視図である。
【図７】実施形態３の照明器具の断面図である。
【図８】同上に用いられる光源ユニットを模式的に表した斜視図である。
【図９】同上に用いられる別の光源ユニットを模式的に表した斜視図である。
【発明を実施するための形態】
【００１４】
以下に、照明器具の実施形態について図面を参照しながら説明する。
【００１５】
（実施形態１）
本実施形態の照明器具Ａは、図１に示すように天井直付け型の照明器具であり、吊ボルト（図示せず）を用いて天井材１００（造営材）に取り付けられる器具本体１と、器具本体１に対して着脱自在に取り付けられる光源ユニット２とを備える。なお、以下の説明では特に断りがない限り、図１に示す向きにおいて上下左右の方向を規定し、さらに図１中の紙面に垂直な方向を前後方向（手前側が前側）と規定して説明を行う。
【００１６】
器具本体１は、板金に曲げ加工を施すことで長尺且つ上面（天井材１００との対向面）が開口する扁平な箱状に形成され、天井材１００と反対側（下側）には光源ユニット２を収容するための矩形の凹部１１が全長に亘って設けられている（図２参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図１参照）。
【００１７】
また、凹部１１の底面部１１１には、電線を通すための孔１１１ａが前後方向（長手方向）に沿って複数（図２では５個）設けられ、さらに吊ボルトを通すための孔１１１ｂが前後方向における両端寄りにそれぞれ２個ずつ設けられている。また、凹部１１の底面部１１１には端子台（図示せず）が取り付けられ、端子台と後述する電源装置２４の間は電線により接続される。
【００１８】
光源ユニット２は、複数（図２では２個）の基板２２と、基板２２が取り付けられる取付部材２１と、基板２２を覆うようにして取付部材２１に取り付けられるカバー部材２３とを具備する。また、光源ユニット２は、基板２２に所定の点灯電力を供給する電源装置２４と、光源ユニット２を器具本体１に取り付けるための取付ばね２５（図４参照）とを具備する。
【００１９】
基板２２は、前後方向に長い矩形板状に形成されたプリント基板２２１からなり、プリント基板２２１の下面には複数のＬＥＤ２２２（発光素子）が前後方向（長手方向）に沿って実装されている。また、一方（図２中の右側）の基板２２の前端部（図２中の右端部）には、電源装置２４との間を電気的に接続するためのコネクタ２２３が実装されている。このコネクタ２２３には電線（図示せず）が接続されており、この電線の端部を電源装置２４に接続することで基板２２と電源装置２４とが電気的に接続される。
【００２０】
また、各基板２２において隣接する基板２２と対向する端部には、電源供給用のコネクタ２２４が実装されている。そして、両基板２２，２２のコネクタ２２４，２２４を接続することで、一方（図２中の右側）の基板２２から他方（図２中の左側）の基板２２へ点灯電力を供給することができる。
【００２１】
取付部材２１は、板金に曲げ加工を施すことでＵ字状に形成され、長尺且つ矩形板状に形成された底面部２１１と、底面部２１１の左右方向（幅方向）における両端から上向きに延出する第１側面部２１２及び第２側面部２１３とで構成される。
【００２２】
第１側面部２１２の先端には、側方（図１中の右側）へ突出する突部２１２ａが全長に亘って設けられ、さらに突部２１２ａに先端には、上向きに延出する接触部２１２ｂが全長に渡って設けられている（図１及び図４参照）。また、第２側面部２１３の先端には、側方（図１中の左側）へ突出する突部２１３ａが全長に亘って設けられ、さらに突部２１３ａの先端には、上向きに延出する接触部２１３ｂが全長に渡って設けられている（図１及び図４参照）。
【００２３】
底面部２１１の前端部（図２中の右端部）には、基板２２と電源装置２４の間を電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、両基板２２，２２を取付部材２１に取り付けた状態で、コネクタ２２４と取付部材２１の底面部２１１との間の絶縁距離を確保するためのものである。
【００２４】
また、取付部材２１の四隅近傍には、取付ばね２５がそれぞれ取り付けられており、器具本体１の凹部１１の四隅近傍に設けられた各係止部（図示せず）に対応する取付ばね２５をそれぞれ係合させることで、光源ユニット２が器具本体１に取り付けられる。なお、上述した基板２２は、例えば取付部材２１の底面部２１１の一部を切り起こすことで形成された係止爪（図示せず）により取付部材２１に固定される。
【００２５】
カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に行くほど下側への突出量が大きくなるような凸レンズ形状の拡散面２３１を有している（図１参照）。さらに、カバー部材２３の左右方向における両端部には、図１に示すように、光源ユニット２を器具本体１に取り付けた状態で、上下方向において器具本体１の凹部１１の開口端縁と重なる延出部２３２がそれぞれ設けられている。
【００２６】
また、カバー部材２３の左右方向において各延出部２３２の内側には、上向き（取付部材２１側）に延出する第１脚部２３３及び第２脚部２３４がそれぞれ全長に亘って設けられている。さらに、第１脚部２３３の先端には、側方（図１中の右側）に延出する引掛部２３３ａが設けられ、第２脚部２３４の先端には、側方（図１中の左側）に延出する引掛部２３４ａが設けられている。
【００２７】
電源装置２４は、電源基板２４１と、電源基板２４１を収納するための収納ケース２４２とを具備する。電源基板２４１は、前後方向に長い矩形板状に形成されたプリント基板２４１ａからなり、プリント基板２４１ａには、少なくともＬＥＤ２２２の点灯電力を生成するための電子部品（例えばトランスやダイオード、コンデンサなど）２４１ｂが実装されている。
【００２８】
収納ケース２４２は、図２に示すように、一面（取付部材２１の底面部２１１との対向面）が開口し且つ前後方向に長い矩形箱状に形成されている。この収納ケース２４２は、開口側が取付部材２１の底面部２１１と対向するようにして、例えばねじなどを用いて取付部材２１の底面部２１１に取り付けられる。
【００２９】
次に、光源ユニット２の組立手順について説明する。まず最初に、作業者は、電源装置２４を取付部材２１の底面部２１１の上面に固定し、さらに上記係止爪により２枚の基板２２，２２を取付部材２１の底面部２１１の下面に固定する。その後、作業者は、基板２２のコネクタ２２３から導出する電線を取付部材２１の底面部２１１に設けた孔２１１ａに通し、その端部を電源装置２４に接続する。
【００３０】
そして最後に、作業者は、開口側を上向きにした状態でカバー部材２３を取付部材２１に組み付ける。このとき、第１脚部２３３の引掛部２３３ａが第１側面部２１２の突部２１２ａと係合し、第２脚部２３４の引掛部２３４ａが第２側面部２１３の突部２１３ａと係合する。上述の手順により、光源ユニット２が組み立てられる。
【００３１】
続けて、照明器具Ａの施工手順について説明する。なお、以下の説明では、端子台が予め器具本体１に取り付けられているものとして説明する。まず最初に、作業者は、天井裏に先行配線された電源線（図示せず）を器具本体１の孔１１１ａに通し、さらに天井材１００より露出する吊ボルト（図示せず）を孔１１１ｂに通した後、ナット（図示せず）をねじ込んで器具本体１を天井材１００に固定する。
【００３２】
その後、作業者は、上記電源線の端部を上記端子台に接続し、さらに上記端子台と電源装置２４の間を電線により接続する。そして最後に、作業者は、電源装置２４が器具本体１の凹部１１内に収容されるようにして光源ユニット２を器具本体１に組み付けると、照明器具Ａの施工が完了する（図１及び図３参照）。このとき、光源ユニット２の各取付ばね２５が器具本体１の対応する係止部（図示せず）とそれぞれ係合し、光源ユニット２が器具本体１に取り付けられる。
【００３３】
ここで、従来の照明器具では、ＬＥＤで発生した熱をブラケット及びホルダを介して器具本体に放熱する構成となっているが、ブラケットとホルダが接触しているのは係止片と係止溝の係合部分のみであり、そのため器具本体への放熱効率がよくなかった。
【００３４】
そこで、本実施形態では、図１に示すように、光源ユニット２を器具本体１に取り付けた状態において、第１側面部２１２の接触部２１２ｂ及び第２側面部２１３の接触部２１３ｂを凹部１１の対応する側面部１１２（内側面）にそれぞれ面接触させている。このように、取付部材２１と器具本体１を面接触させることで、取付部材２１から器具本体１への放熱面積を大きくすることができ、これにより器具本体１への放熱効率を高めることができる。そして、器具本体１への放熱効率を高めることで、ＬＥＤ２２２の温度上昇を抑えることができ、発光効率のよい照明器具Ａを提供することができる。
【００３５】
なお、本実施形態では、第１側面部２１２及び第２側面部２１３の両方に接触部を設けたが、第１側面部２１２又は第２側面部２１３の少なくとも一方に接触部が設けられていればよい。また、本実施形態では、第１側面部２１２の接触部２１２ｂ及び第２側面部２１３の接触部２１３ｂをそれぞれ全長に亘って設けたが、凹部１１の側面部１１２に面接触するようになっていれば、全長に亘って設けなくてもよい。
【００３６】
（実施形態２）
照明器具Ａの実施形態２について図５及び図６を参照しながら説明する。なお、以下の説明では特に断りがない限り、図５に示す向きにおいて上下左右の方向を規定し、さらに図５中の紙面に垂直な方向を前後方向（手前側が前側）と規定して説明を行う。また、実施形態１と同様の構成については、同一の符号を付して説明を省略する。
【００３７】
本実施形態の照明器具Ａは、図５に示すように天井直付け型の照明器具であり、器具本体１と、光源ユニット２とを備える。また、光源ユニット２は、基板２２と、取付部材２１と、カバー部材２３と、電源装置２４と、取付ばね２５とを具備する。
【００３８】
取付部材２１は、板金に曲げ加工を施すことでＵ字状に形成され、長尺且つ矩形板状に形成された底面部２１１と、底面部２１１の左右方向（幅方向）における両端から上向きに延出する第１側面部２１２及び第２側面部２１３とで構成される。
【００３９】
第１側面部２１２の先端には、側方（図５中の右側）へ突出する突部２１２ａが全長に亘って設けられ、さらに突部２１２ａに先端には、上向きに延出する接触部２１２ｂが全長に渡って設けられている（図５及び図６参照）。また、第１側面部２１２の前後方向（長手方向）における両端寄りには、側方（図５中の左側）へ延出する一対の引掛片２１２ｃが、接触部２１２ｂの一部を切り起こすことにより設けられている。さらに、第２側面部２１３の先端には、側方（図５中の左側）へ突出する突部２１３ａが全長に亘って設けられている。
【００４０】
器具本体１の凹部１１の一方（図５中の左側）の側面部１１２には、光源ユニット２を器具本体１に取り付ける際に各引掛片２１２ｃがそれぞれ引っ掛けられる２個の引掛孔（図示せず）が前後方向に沿って設けられている。そして、各引掛片２１２ｃを対応する引掛孔にそれぞれ引っ掛けた後、引掛片２１２ｃ側を回動中心として光源ユニット２を回転させ、各取付ばね２５を対応する係止部（図示せず）にそれぞれ係合させることで、光源ユニット２が器具本体１に取り付けられる。
【００４１】
このとき、光源ユニット２の回動側、つまり第２側面部２１３側には接触部が設けられておらず、そのため第２側面部２１３は、凹部１１の側面部１１２との間に隙間を空けた状態で回動し、側面部１１２には接触しない。これにより、器具本体１に対して光源ユニット２を容易に着脱することができる。
【００４２】
また、光源ユニット２を器具本体１に取り付けた状態では、第１側面部２１２の接触部２１２ｂを凹部１１の側面部１１２に面接触させており、これにより器具本体１への放熱面積を大きくすることができる。そして、器具本体１への放熱面積を大きくすることで、器具本体１への放熱効率を高めることができ、これによりＬＥＤ２２２の温度上昇を抑えることができて、発光効率のよい照明器具Ａを提供することができる。
【００４３】
（実施形態３）
照明器具Ａの実施形態３について図７〜図９を参照しながら説明する。なお、以下の説明では特に断りがない限り、図７に示す向きにおいて上下左右の方向を規定し、さらに図７中の紙面に垂直な方向を前後方向（手前側が前側）と規定して説明を行う。また、実施形態１，２と同様の構成については、同一の符号を付して説明を省略する。
【００４４】
本実施形態の照明器具Ａは、図７に示すように天井直付け型の照明器具であり、器具本体１と、光源ユニット２とを備える。また、光源ユニット２は、基板２２と、取付部材２１と、カバー部材２３と、電源装置２４と、取付ばね２５とを具備する。
【００４５】
取付部材２１は、板金に曲げ加工を施すことでＵ字状に形成され、長尺且つ矩形板状に形成された底面部２１１と、底面部２１１の左右方向（幅方向）における両端から上向きに延出する第１側面部２１２及び第２側面部２１３とで構成される。
【００４６】
第１側面部２１２の先端には、側方（図７中の右側）へ突出する突部２１２ａが全長に亘って設けられ、さらに突部２１２ａの先端には、上向きに延出する接触部２１２ｂが全長に渡って設けられている（図７及び図８参照）。また、第１側面部２１２の前後方向（長手方向）における両端寄りには、側方（図７中の左側）へ延出する一対の引掛片２１２ｃが、接触部２１２ｂの一部を切り起こすことにより設けられている。
【００４７】
また、第２側面部２１３の先端には、側方（図７中の左側）へ突出する突部２１３ａが全長に亘って設けられ、さらに突部２１３ａの先端には、接触部２１３ｂが全長に亘って設けられている。この接触部２１３ｂは、図７及び図８に示すように、左右方向（幅方向）において第１側面部２１２と反対側（図７中の右側）に円弧状に突出する弾性体からなり、左右方向において弾性自在に変形する。
【００４８】
したがって、光源ユニット２を器具本体１に取り付ける際には、第２側面部２１３の接触部２１３ｂが凹部１１の側面部１１２に接触するものの、左右方向に弾性変形するため、器具本体１に対して光源ユニット２を容易に着脱することができる。
【００４９】
また、光源ユニット２を器具本体１に取り付けた状態では、第１側面部２１２の接触部２１２ｂ及び第２側面部２１３の接触部２１３ｂを凹部１１の対応する側面部１１２にそれぞれ面接触させている。このように、取付部材２１と器具本体１を面接触させることで、取付部材２１から器具本体１への放熱面積を大きくすることができ、これにより器具本体１への放熱効率を高めることができる。そして、器具本体１への放熱効率を高めることで、ＬＥＤ２２２の温度上昇を抑えることができ、発光効率のよい照明器具Ａを提供することができる。
【００５０】
図９は本実施形態の別の光源ユニット２を示す模式的な斜視図である。本例では、第１側面部２１２の接触部２１２ｂを第２側面部２１３と反対側に円弧状に突出させた弾性体で構成し、さらに第２側面部２１３の接触部２１３ｂを第１側面部２１２と反対側に円弧状に突出させた弾性体で構成している。また、各接触部２１２ｂ，２１３ｂは、電源装置２４の収納ケース２４２よりも長さ寸法が長く設定されており、収納ケース２４２と対応する位置に設けられている。
【００５１】
そして、光源ユニット２を器具本体１に取り付けた状態では、第１側面部２１２の接触部２１２ｂが凹部１１の左側の側面部１１２と弾性接触し、且つ、第２側面部２１３の接触部２１３ｂが右側の側面部１１２と弾性接触している。これにより、取付部材２１と器具本体１の密着性を高めることができ、その結果、器具本体１への放熱効率を高めることができる。そして、器具本体１への放熱効率を高めることで、ＬＥＤ２２２の温度上昇を抑えることができ、発光効率のよい照明器具Ａを提供することができる。
【００５２】
また、電源装置２４も熱源であり、取付部材２１の全長に亘って接触部２１２ｂ，２１３ｂを設けた場合には、電源装置２４の近傍に配置されたＬＥＤ２２２の温度が、電源装置２４から離れた位置に配置されたＬＥＤ２２２よりも高くなる。そして、この温度差によってＬＥＤ２２２間に輝度むらが生じてしまう。
【００５３】
これに対して、本例では、電源装置２４と対応する位置にのみ接触部２１２ｂ，２１３ｂを設けており、これによりＬＥＤ２２２間の温度差を小さく抑えることができ、その結果、ＬＥＤ２２２間の輝度むらを小さく抑えることができる。
【符号の説明】
【００５４】
１  器具本体
２  光源ユニット
１１  凹部
２１  取付部材
２２  基板
１００  天井材（造営材）
１１２  側面部（内側面）
２１１  底面部
２１２  第１側面部
２１２ｂ  接触部
２１３  第２側面部
２１３ｂ  接触部
２２２  ＬＥＤ（発光素子）
【図１】
2014179209.tif 000003
【図２】
2014179209.tif 000004
【図３】
2014179209.tif 000005
【図４】
2014179209.tif 000006
【図５】
2014179209.tif 000007
【図６】
2014179209.tif 000008
【図７】
2014179209.tif 000009
【図８】
2014179209.tif 000010
【図９】
2014179209.tif 000011